(57)【要約】【課題】計量商品を定額商品として扱う場合、その旨を客に示すことができるようにする。【解決手段】実施形態の電子秤は、値段算出手段と、第１の表示制御手段と、変更受付手段と、第２の表示制御手段と、を備える。前記第１の表示制御手段は、前記計量商品の単価、計量部が計量した前記計量商品の重量値、および前記値段算出手段が算出した前記計量商品の値段を含む計量商品情報を、ディスプレイに表示させる。前記変更受付手段は、前記計量商品の扱いを、値段および重量が予め設定されている定額商品扱いに変更することを受け付ける。前記第２の表示制御手段は、前記変更受付手段が前記変更を受け付けた場合、前記計量商品情報における前記計量商品の単価の表示を消すとともに、前記計量商品情報における前記重量値および前記値段を前記定額商品の情報として前記ディスプレイに表示させる。【選択図】図１３
2012141247.tif 000002
【特許請求の範囲】
【請求項１】
ディスプレイと、
商品の重量を計量する計量部と、
単位重量当たりの単価が予め設定されていて重量に応じて値段が決定される計量商品の前記単価および前記計量部が計量した前記計量商品の重量値を用いて、前記計量商品の値段を算出する値段算出手段と、
前記計量商品の単価、前記計量部が計量した前記計量商品の重量値、および前記値段算出手段が算出した前記計量商品の値段を含む計量商品情報を、前記ディスプレイに表示させる第１の表示制御手段と、
前記計量商品の扱いを、値段および重量が予め設定されている定額商品扱いに変更することを受け付ける変更受付手段と、
前記変更受付手段が前記変更を受け付けた場合、前記計量商品情報における前記計量商品の単価の表示を消すとともに、前記計量商品情報における前記重量値および前記値段を前記定額商品の情報として前記ディスプレイに表示させる第２の表示制御手段と、
を備える電子秤。
【請求項２】
前記第１の表示制御手段は、前記計量商品情報とともに、商品の扱いが前記計量商品扱いである旨を示す計量表示を表示し、
前記第２の表示制御手段は、前記変更受付手段が前記変更を受け付けた場合、前記計量表示を、商品の扱いが前記定額商品扱いである旨を示す定額表示に変更する請求項１に記載の電子秤。
【請求項３】
前記第２の表示制御手段は、前記計量商品情報における前記重量値を前記定額商品の数量として前記ディスプレイに表示させる請求項１または２に記載の電子秤。
【請求項４】
ラベルを発行するプリンタ部と、
商品がラベルに金額情報を表示させない金額情報非表示商品である旨を、入力する入力操作部と、
前記プリンタ部を制御する発行制御手段と、
を備え、
前記変更受付手段は、前記入力操作部によって商品が金額情報非表示商品である旨が入力されることで、前記変更を受け付け、
前記発行制御手段は、前記入力操作部によって商品が金額情報非表示商品である旨が入力された場合、前記定額商品扱いの商品の名称を表示していて当該商品の金額情報を表示しないラベルを、前記プリンタ部に発行させる請求項１に記載の電子秤。
【請求項５】
ディスプレイと、商品の重量を計量する計量部と、を備える電子秤と、
通信ネットワークを介して前記電子秤と通信可能なサーバと、
単位重量当たりの単価が予め設定されていて重量に応じて値段が決定される計量商品の前記単価および前記計量部が計量した前記計量商品の重量値を用いて、前記計量商品の値段を算出する値段算出手段と、
前記計量商品の単価、前記計量部が計量した前記計量商品の重量値、および前記値段算出手段が算出した前記計量商品の値段を含む計量商品情報を、前記ディスプレイに表示させる第１の表示制御手段と、
前記計量商品の扱いを、値段および重量が予め設定されている定額商品扱いに変更することを受け付ける変更受付手段と、
前記変更受付手段が前記変更を受け付けた場合、前記計量商品情報における前記計量商品の単価の表示を消すとともに、前記計量商品情報における前記重量値および前記値段を前記定額商品の情報として前記ディスプレイに表示させる第２の表示制御手段と、
を備え、
前記値段算出手段、前記第１の表示制御手段、前記変更受付手段および前記第２の表示制御手段は、前記電子秤または前記サーバに設けられ、且つ前記値段算出手段、前記第１の表示制御手段、前記変更受付手段および前記第２の表示制御手段のうちの１以上の手段が前記サーバに設けられている計量システム。
【請求項６】
コンピュータを、
単位重量当たりの単価が予め設定されていて重量に応じて値段が決定される計量商品の前記単価および計量部が計量した前記計量商品の重量値を用いて、前記計量商品の値段を算出する値段算出手段と、
前記計量商品の単価、前記計量部が計量した前記計量商品の重量値、および前記値段算出手段が算出した前記計量商品の値段を含む計量商品情報を、ディスプレイに表示させる第１の表示制御手段と、
前記計量商品の扱いを、値段および重量が予め設定されている定額商品扱いに変更することを受け付ける変更受付手段と、
前記変更受付手段が前記変更を受け付けた場合、前記計量商品情報における前記計量商品の単価の表示を消すとともに、前記計量商品情報における前記重量値および前記値段を前記定額商品の情報として前記ディスプレイに表示させる第２の表示制御手段と、
として機能させるプログラム。
【発明の詳細な説明】
【技術分野】
【０００１】
本発明の実施形態は、電子秤、計量システムおよびプログラムに関する。
【背景技術】
【０００２】
従来、対面販売において用いられる電子秤がある。このような電子秤として、単位重量当たりの単価が予め設定されていて重量に応じて値段が決定される計量商品（例えば、肉等）の重量を計量し、その計量した重量と、その計量商品の単価とを用いて計量商品の値段を算出し、計量した重量や算出した値段等の商品情報を印字したラベルを発行するものが知られている。このようにして発行されたラベルは、計量商品に添付される。
【０００３】
計量商品に対しては、計量の際に、電子秤のディスプレイにその計量商品の単価を表示して客に示すことと、ラベルに単価を表示することで、客が単価を確認することができる。そして、このように、計量商品の計量中に計量商品の単価を表示することやラベルに単価を表示することは法律で定められている。
【０００４】
ところで、計量商品を贈答品用として販売する場合、ラベルにその商品の金額情報を印字しないことが求められる。そこで、このような場合には、計量商品の重量を計量して値段を算出した後に、その計量商品を、予め重量および値段が設定された定額商品として扱うことで、ラベルに単価を表示する必要をなくし、金額情報が印字されていないラベルを発行することができる。
【発明の概要】
【発明が解決しようとする課題】
【０００５】
しかしながら、このように店舗側が計量商品を定額商品として扱う場合、客には商品がどのように扱われているのかが分からない。
【課題を解決するための手段】
【０００６】
実施形態の電子秤と計量システムは、ディスプレイと、計量部と、値段算出手段と、第１の表示制御手段と、変更受付手段と、第２の表示制御手段と、を備える。前記計量部は、商品の重量を計量する。前記値段算出手段は、単位重量当たりの単価が予め設定されていて重量に応じて値段が決定される計量商品の前記単価および前記計量部が計量した前記計量商品の重量値を用いて、前記計量商品の値段を算出する。前記第１の表示制御手段は、前記計量商品の単価、前記計量部が計量した前記計量商品の重量値、および前記値段算出手段が算出した前記計量商品の値段を含む計量商品情報を、前記ディスプレイに表示させる。前記変更受付手段は、前記計量商品の扱いを、値段および重量が予め設定されている定額商品扱いに変更することを受け付ける。前記第２の表示制御手段は、前記変更受付手段が前記変更を受け付けた場合、前記計量商品情報における前記計量商品の単価の表示を消すとともに、前記計量商品情報における前記重量値および前記値段を前記定額商品の情報として前記ディスプレイに表示させる。
【０００７】
実施形態のプログラムは、コンピュータを、前記値段算出手段と、前記第１の表示制御手段と、前記変更受付手段と、前記第２の表示制御手段と、として機能させる。
【図面の簡単な説明】
【０００８】
【図１】図１は、第１の実施形態に係る電子秤を正面側から示す外観斜視図である。
【図２】図２は、第１の実施形態に係る電子秤に内蔵される各部の電気的接続を示すブロック図である。
【図３】図３は、第１の実施形態に係るＰＬＵファイルのデータ構造を模式的に示す図である。
【図４】図４は、第１の実施形態に係る電子秤の機能構成を示す図である。
【図５】図５は、第１の実施形態に係るオペレータ用の第１のディスプレイが表示する計量商品用の表示画面の一例を示す図である。
【図６】図６は、第１の実施形態に係る客用の第２のディスプレイが表示する計量商品用の表示画面の一例を示す図である。
【図７】図７は、第１の実施形態に係るオペレータ用の第１のディスプレイが表示する計量商品用の表示画面の一例を示す図である。
【図８】図８は、第１の実施形態に係る客用の第２のディスプレイが表示する計量商品用の表示画面の一例を示す図である。
【図９】図９は、第１の実施形態に係るオペレータ用の第１のディスプレイが表示する定額商品用であって贈答品用の表示画面の一例を示す図である。
【図１０】図１０は、第１の実施形態に係る客用の第２のディスプレイが表示する定額商品用であって贈答品用の表示画面の一例を示す図である。
【図１１】図１１は、第１の実施形態に係る計量商品用ラベルの一例を示す図である。
【図１２】図１２は、第１の実施形態に係る贈答品用ラベルの一例を示す図である。
【図１３】図１３は、第１の実施形態に係る電子秤が実行する計量処理の流れを示すフローチャートである。
【図１４】図１４は、第２の実施形態に係る計量システムの概略構成を示す図である。
【発明を実施するための形態】
【０００９】
以下、図面を参照して、実施形態に係る電子秤、計量システムおよびプログラムについて詳細に説明する。なお、以下の複数の実施形態には、同様の構成要素が含まれている。よって、以下では、それら同様の構成要素には共通の符号を付与するとともに、重複する説明を省略する。
【００１０】
［第１の実施形態］
まずは、第１の実施形態を図１ないし図１３を参照しながら説明する。本実施形態は、例えば店員であるオペレータと顧客とがショーケースを介して対面し、ショーケース内に陳列されている惣菜や肉等を秤売りする惣菜店や精肉店において、ショーケースの上に載置して使用する対面販売用の電子秤への適用例を示す。また、本実施形態の電子秤は、単位重量当たりの単価が予め設定されていて重量に応じて値段が決定される計量商品と、値段および重量が予め設定されている定額商品とのどちらに対してもラベルの発行が可能なものである。なお、電子秤におけるオペレータ側を正面、電子秤おける客側を背面として説明する。
【００１１】
図１に示すように、電子秤１は、概略直方体状のハウジング２と、このハウジング２に支持された秤部３と、ハウジング２の正面部に連結された第１のディスプレイ５と、第１のディスプレイ５に一体に設けられたキーボード６と、キーボード６の側方に設けられたプリンタ部７と、ハウジング２の背面部に連結された第２のディスプレイ９と、を備えている。
【００１２】
秤部３は、ハウジングの上方に位置して商品（物品）が載置される秤皿３ａと、ハウジング２の内部であって秤皿３ａの下方に配置されたロードセルユニット３ｂ（図２参照）と、を有している。ロードセルユニット３ｂには、秤皿３ａが連結されており、秤皿３ａに載置された商品による荷重が作用する。ロードセルユニット３ｂは、ロードセル等によって構成され、商品を含む計量対象による荷重の大きさに応じた計量値をアナログ信号で出力する。
【００１３】
第１のディスプレイ５は、オペレータ用のものである。第１のディスプレイ５は、ＬＣＤ（Liquid  Crystal  Display）で構成されている。第１のディスプレイ５には、その表示面上にタッチパネル４が設けられている。第１のディスプレイ５とタッチパネル４とは、入力操作部（タッチパネル付きディスプレイ）３０を構成している。この入力操作部３０は、第１のディスプレイ５が表示する贈答品ボタン６０ｐ（図５参照）をタッチパネル４がオペレータの操作を受けてタッチ指定することで、商品が贈答品である旨を入力する。ここで、贈答品は、ラベルに金額情報を表示させない金額情報非表示商品である。なお、本実施形態では、金額情報非表示商品として贈答品を例示しているが、これに限るものではなく、金額情報非表示商品としては、例えば販売促進用の無料提供品（ノベルティ商品）等であっても良い。
【００１４】
第２のディスプレイ９は、客用のものである。第２のディスプレイ９は、ＬＣＤで構成されている。
【００１５】
キーボード６は、「０」〜「９」の値数キー、エンターキー、風袋キー、キーボード６のラベル発行キー等の確証のキーを有する。ラベル発行キーは、ラベルの発行を宣言するラベル発行宣言手段である。
【００１６】
プリンタ部７は、いわゆるビルトインタイプのカセット方式のプリンタ本体部１７（図２参照）を内蔵しており、ラベルやレシートを発行するための発行口７ａをハウジング２の正面に有する。プリンタ部７は、用紙を搬送する搬送機構や、搬送機構による搬送過程で用紙に対して印字を行う印字機構、用紙を切断する切断装置等を備えている。搬送機構は、本実施形態では、パルスモータ１７ｂ（図２参照）によって回転駆動したプラテンローラによって用紙を搬送する構成である。印字機構は、本実施形態ではサーマルヘッド１７ａ（図２参照）によって印字を行う構成である。本実施形態の場合、用紙として、用紙長尺状の台紙に感熱性の複数のラベルが一列状に配置されたラベル用紙や、長尺状のレシート用紙が適用される。そして、プリンタ部７は、ラベル用紙やレシート用紙に対して印字動作を行った後、ラベルやレシートを発行口７ａから発行する。
【００１７】
次に、電子秤１に内蔵される各部の電気的接続について図２を参照して説明する。図２に示すように、電子秤１には、各種演算処理等を実行して各部を集中的に制御するＣＰＵ（Central  Processing  Unit）１０が設けられている。このＣＰＵ１０には、固定データを格納するＦｌａｓｈＲＯＭ（Read  Only  Memory）１１と、可変データを書換え自在に格納してワークエリア等として利用されるＲＡＭ（Random  Access  Memory）１２とがシステムバス１３を介して接続されている。ＣＰＵ１０は、ＦｌａｓｈＲＯＭ１１およびＲＡＭ１２とともにコンピュータを構成している。ＦｌａｓｈＲＯＭ１１は、プログラムや各種のファイル等を記憶している。また、ＣＰＵ１０には、通信ネットワーク等を介して外部装置との通信を実行する通信部としての通信インタフェース２３が接続されている。
【００１８】
また、ＣＰＵ１０には、システムバス１３を介してＩ／Ｏポート１４が接続され、このＩ／Ｏポート１４にはＡ／Ｄ変換部１５を介してロードセルユニット３ｂが接続されている。ロードセルユニット３ｂから出力されたアナログ出力はＡ／Ｄ変換部１５でデジタルデータに変換されてＩ／Ｏポート１４に入力される。
【００１９】
また、ＣＰＵ１０には、プリンタ部７を駆動制御するプリンタコントローラ１８、キーボード６を駆動制御するキーボードコントローラ２１、第１のディスプレイ５を駆動制御するディスプレイコントローラ１９、第２のディスプレイ９を駆動制御するディスプレイコントローラ２０、およびタッチパネル４を駆動制御するタッチパネルコントローラ２２もシステムバス１３を介して接続されている。
【００２０】
ＣＰＵ１０は、ＲＡＭ１２の一部領域を印字バッファとして利用しつつ、印字データに基づいてプリンタコントローラ１８を駆動制御する。これにより、プリンタ本体部１７におけるサーマルヘッド１７ａやパルスモータ１７ｂが駆動されて印字動作が行なわれる。
【００２１】
さらに、ＣＰＵ１０は、タッチパネルコントローラ２２を駆動制御し、操作者によりタッチされたタッチパネル４上のＸＹ座標の位置を認識して座標データを取得する。ＣＰＵ１０は、第１のディスプレイ５に表示されるボタン等とタッチパネル４の座標との位置関係の同期をとることによって、タッチパネル４によって指定された第１のディスプレイ５に表示された情報を認識する。
【００２２】
次に、ＦｌａｓｈＲＯＭ１１に格納されている各種のデータについて説明する。ＦｌａｓｈＲＯＭ１１は、記憶部として機能して各種のファイル等のデータを書換え自在かつ記憶保持可能な状態で格納する。このようなＦｌａｓｈＲＯＭ１１に格納されるデータの一部として、本実施形態の電子秤１では、図３に示すＰＬＵファイル４０、複数種類のラベルフォーマット（図示せず）を備えている。
【００２３】
ＰＬＵファイル４０は、図３に示すように、商品の品番（識別情報）毎に、分類コード、商品名、通常価格情報、第２価格情報、割り当てキー番号および付加情報を対応付けて記憶する。ここで、本実施形態では、一つの品番に対して通常価格と第２価格との二つの価格を設定可能となっている。これは、同一の商品名の商品（例えば肉）を、秤売りをする計量商品として販売するものと、予め所定の重量分をパック詰めして定額商品として販売するものとの両方を扱うことができるようにするためである。このため、ＰＬＵファイル４０の通常価格情報および第２価格情報は、それぞれ商品種別（計量商品または定額商品）と、価格情報と、を含んでいる。価格情報は、商品種別が計量商品である場合には、その商品の単位重量当たりの単価であり、商品種別が定額商品の場合には、定価および商品の量（例えば、２パック等）に関する情報である。割り当てキー番号は、キーボード６の値数キーの番号である。また、付加情報は、例えば、加工日時や消費期限、産地等である。このように、ＰＬＵファイル４０は、少なくとも、商品を特定するための商品特定データとして機能する品番とその商品の単位重量当たりの単価とを対応付けて記憶するファイル構造を備えている。ここで、本実施形態では、単位重量は、例えば１００グラムが採用されている。
【００２４】
ラベルフォーマットとしては、例えば、計量商品用ラベルのフォーマット、定額商品用ラベルのフォーマット、贈答品用ラベルのフォーマット等である。
【００２５】
次いで、ＦｌａｓｈＲＯＭ１１に記憶されたプログラムに従いＣＰＵ１０が実行するラベル発行処理について説明する。
【００２６】
ＣＰＵ１０は、ＦｌａｓｈＲＯＭ１１に記憶されたプログラムに従うことにより、第１の表示制御手段５１および第２の表示制御手段５２を含む表示制御手段５３と、重量算出手段５４、値段算出手段５５、変更受付手段５６、および発行制御手段５７として動作する。
【００２７】
表示制御手段５３は、オペレータの操作を受けたキーボード６によって商品番号が入力されると、オペレータ用の第１のディスプレイ５に、図５に示すような表示画面６０を表示させるとともに、客用の第２のディスプレイ９に、図６に示すような表示画面７０を表示させる。この際、表示制御手段５３は、キーボード６によって商品番号が入力された商品の情報をＰＬＵファイル４０から読み出して、読み出した情報を表示画面６０，７０に表示させる。図５および図６の表示画面６０，７０は、キーボード６の「１」の値数キーが操作された場合の例を示している。即ち、品番が「１」の商品が指定された例である。また、このとき、風袋の重量は設定されているものとする。
【００２８】
図５に示すように、オペレータ用の第１のディスプレイ５に表示される表示画面６０は、商品の種別（計量商品または定額商品）を示す種別欄６０ａと、商品の品番を表示する品番欄６０ｂと、商品名を表示する商品名欄６０ｃと、商品の重量を表示する重量欄６０ｄと、商品の単価を表示する単価欄６０ｅと、商品の値段を表示する値段欄６０ｆと、風袋の重量を表示する風袋欄６０ｇと、を有する。また、表示画面６０は、商品の分類コードを表示する分類コード表示欄６０ｔ、商品の加工の日時を表示する加工日時欄６０ｈ、商品の産地を示す産地欄６０ｉ、商品の消費期限の日時を表示する消費期限欄６０ｊと、商品の通常価格情報を表示する通常価格ボタン６０ｋと、商品の第２価格情報を表示する第２価格ボタン６０ｍと、贈答品ボタン６０ｐと、を有する。通常価格ボタン６０ｋと、第２価格ボタン６０ｍと、贈答品ボタン６０ｐとは、オペレータのタッチ操作でのタッチパネル４によるタッチ指定が可能なボタンである。ここで、表示画面６０が表示された時点では、通常価格が通常価格ボタン６０ｋと第２価格ボタン６０ｍとのうち通常価格ボタン６０ｋが自動的に選択されるようになっており、ＰＬＵファイル４０の通常価格情報に基づき、種別欄６０ａに商品が計量商品である旨を示す計量表示としての「計量」が表示され、単価欄６０ｅに当該商品の単価が表示されている。即ち、表示画面６０，７０は、計量商品用の表示画面である。
【００２９】
また、風袋欄６０ｇに表示される風袋の重量は、秤皿３ａに風袋が載置された状態でキーボード６の風袋キーが操作され、この状態で秤部３から出力された計量値に基づいてＣＰＵ１０が風袋の重量を算出して、その風袋の重量をＲＡＭ１２に記憶して風袋の重量として設定したものである。
【００３０】
図６に示すように、第２のディスプレイ９に表示される表示画面７０は、商品の種別（計量商品または定額商品）を示す種別欄７０ａと、商品の品番を表示する品番欄７０ｂと、商品名を表示する商品名欄７０ｃと、商品の重量を表示する重量欄７０ｄと、商品の単価を表示する単価欄７０ｅと、商品の値段を表示する値段欄７０ｆと、風袋の重量を表示する風袋欄７０ｇと、を有する。これらの各欄７０ａ〜７０ｇに表示される情報は、第１のディスプレイ５の対応する各欄６０ａ〜７０ｇに表示される情報と同じである。したがって、ＰＬＵファイル４０の通常価格情報に基づき、種別欄７０ａに商品が計量商品である旨を示す計量表示としての「計量」が表示され、単価欄７０ｅに当該商品の単価が表示されている。
【００３１】
重量算出手段５４は、秤部３から出力された計量値を用いて、秤皿３ａに載置された商品の重量値を算出するものである。詳細には、重量算出手段５４は、商品が計量商品の場合、ＰＬＵファイル４０に記憶されているそのタッチ指定された商品の単価を用いてその商品の重量値を算出する。重量算出手段５４は、商品の重量値の算出に、秤部３の計量値と重量値との関係を定めた重量算出式等を用いる。重量算出手段５４は、風袋の重量が設定されている場合には、秤部３の計量値から算出した重量から、その風袋の重量を差し引いた値を商品の重量とする。重量算出手段５４は、秤部３とによって、商品の重量を計量する計量部３１を構成している。
【００３２】
値段算出手段５５は、計量商品の単価および計量部３１が計量した計量商品の重量値を用いて、計量商品の値段を算出するものである。詳細には、値段算出手段５５は、計量部３１が計量した計量商品の重量値を単位重量（本実施形態では、１００グラム）で割った値に、計量商品の単価を掛けることで計量商品の値段を算出する。
【００３３】
第1の表示制御手段５１は、計量商品の単価、計量部３１が計量した計量商品の重量値、および値段算出手段５５が算出した計量商品の値段を含む計量商品情報を、第１のディスプレイ５と第２のディスプレイ９とに表示させる。図７および図８に、計量商品情報６０ｒ，７０ｒを表示した表示画面６０Ａ，７０Ａを示す。図７は、第１のディスプレイ５に表示される表示画面６０Ａを示し、図８は、第２のディスプレイ９に表示される表示画面７０Ａを示している。表示画面６０Ａ，７０Ａの基本構成は、それぞれ表示画面６０，７０と同じである。表示画面６０Ａ，７０Ａは、それぞれの重量欄６０ｄ，７０ｄに計量部３１が計量した計量商品の重量値を表示し、それぞれの値段欄６０ｆ，７０ｆに値段算出手段５５が算出した計量商品の値段を表示している。表示画面６０Ａ，７０Ａにおけるその他の欄の表示内容は、表示画面６０，７０と同じである。例えば、表示画面６０Ａ，７０Ａは、単価欄６０ｅ，７０ｅに計量商品の単価を表示し、種別欄６０ａ，７０ａに計量表示としての「計量」を表示している。これらの各欄に表示された、計量商品の単価、計量商品の重量値、および計量商品の値段が、計量商品情報６０ｒ，７０ｒに含まれる。このように、第1の表示制御手段５１は、計量商品情報とともに、商品の扱いが計量商品扱いである旨を示す計量表示としての「計量」を種別欄６０ａ，７０ａに表示させる。
【００３４】
変更受付手段５６は、計量商品の扱いを、値段および重量が予め設定されている定額商品扱いに変更することを受け付けるものである。詳細には、変更受付手段５６は、贈答品ボタン６０ｐがタッチパネルに４によってタッチ指定されることで、入力操作部３０から商品が贈答品である旨が入力されたと判断した場合、計量商品の扱いを定額商品扱いに変更することを受け付ける。即ち、変更受付手段５６は、商品が贈答品である旨が入力されると、商品の扱いを計量商品から定額商品扱いに変更することを受け付ける。
【００３５】
第２の表示制御手段５２は、変更受付手段５６が計量商品の扱いを定額商品扱いに変更することを受け付けた場合、図７および図８に示した表示画面６０Ａ，７０Ａの計量商品情報における計量商品の単価の表示を消すとともに、計量商品情報における重量値および値段を定額商品の情報として第１のディスプレイ５および第２のディスプレイ９に表示させる。
【００３６】
このときの第１のディスプレイ５および第２のディスプレイ９に表示される表示画面は、定額商品用の表示画面であり、図９に第１のディスプレイ５に表示される定額商品用の表示画面６０Ｂを示し、図１０に第２のディスプレイ９に表示される表示画面７０Ｂを示す。図９および図１０に示すように、定額商品用の表示画面６０Ｂ，７０Ｂは、計量商品用の表示画面６０Ａ，７０Ａに対して、表示画面６０Ａ，７０Ａに設けられていた重量欄６０ｄ，７０ｄが滅灯されている点と、表示画面６０Ａ，７０Ａにおける単価欄６０ｅ，７０ｅの位置に数量欄６０ｓ，７０ｓが設けられた点とが異なる。数量欄６０ｓ，７０ｓは、計量商品情報６０ｒ，７０ｒにおける重量値、即ち、表示画面６０Ａ，７０Ａの重量欄６０ｄ，７０ｄに表示された商品の重量値を定額商品の数量として表示する。また、値段欄６０ｆ，７０ｆの表示形態は、「値段」から「定値段」に変更されている。また、種別欄６０ａが表示する情報として、商品の扱いが定額商品である旨を示す定額表示としての「定額」が表示されている。このように、単価の表示を消して、種別欄６０ａ，７０ａの表示を「定額」にし、商品の重量値を定額商品の数量として表示することで、計量商品情報における重量値および値段を定額商品の情報として扱う。また、図９および図１０に示す定額商品用の表示画面６０Ｂ，７０Ｂは、本実施形態では、贈答品用の表示画面でもあり、表示画面６０Ｂ，７０Ｂの商品名欄６０ｃ，７０ｃ中に、商品が贈答品である旨を示す贈答品表示６０ｕ，７０ｕ（図面では「贈答品」）が表示されている。
【００３７】
このように、第２の表示制御手段５２は、変更受付手段５６が計量商品の扱いを定額商品扱いに変更することを受け付けた場合、計量商品情報における重量値を定額商品の数量として第１のディスプレイ５および第２のディスプレイ９に表示させるとともに、計量表示としての種別欄６０ａ，７０ａの「計量」を、商品の扱いが定額商品扱いである旨を示す定額表示としての「定額」に変更する。
【００３８】
発行制御手段５７は、プリンタ部７を制御するものである。ここで、発行制御手段５７の制御を受けてプリンタ部７が発行するラベル８０の例として、図１１に計量商品用ラベル８０Ａを示し、図１２に贈答品用ラベル８０Ｂを示す。図１１，図１２に示すように、計量商品用ラベル８０Ａおよび贈答品用ラベル８０Ｂは、ともに、商品名８０ａ（図面では「ビーフステーキ」）、産地８０ｂ（図面では「○○産」）、消費期限８０ｃ、加工日時８０ｄ、内容量８０ｅ、バーコード８０ｆが印字されている。そして、計量商品用ラベル８０Ａは、商品の金額情報としての値段８０ｇ（図面では「お値段（円）  ３０００」）、単価８０ｈ（図面では、「１００ｇ当たり（円）  ３００」）が表示されている。一方、贈答品用ラベル８０Ｂは、商品の金額情報（値段や単価）を表示していない。即ち、贈答品用ラベル８０Ｂは、定額商品扱いの商品の名称を表示していて当該商品の金額情報を表示しないラベルである。贈答品用ラベル８０Ｂは、定額商品用ラベルの一種である。発行制御手段５７は、入力操作部３０によって商品が贈答品である旨が入力された場合、贈答品用ラベル８０Ｂを、プリンタ部７に発行させる。
【００３９】
次に、上記のように各種の手段５１〜５７として動作してＣＰＵ１０が実行するラベル発行処理を、図１３に示すフローチャートに沿って説明する。
【００４０】
まず、ＣＰＵ１０は、商品の品番の指定を待つ（ステップＳ１のＮｏ）。ＣＰＵ１０は、キーボード６からの商品の品番の入力によって品番が指定されたと判断した場合（ステップＳ１のＹｅｓ）、その商品の情報をＰＬＵファイル４０から読み出すとともに、その商品毎に設定されているラベルフォーマットをＦｌａｓｈＲＯＭ１１から読み出して、それらの商品情報およびラベルフォーマットをＲＡＭ１２に記憶させる（ステップＳ２）。
【００４１】
次に、ＣＰＵ１０は、指定された商品の種別を、ＰＬＵファイル４０を参照して判定し、指定された商品が計量商品の場合（ステップＳ３のＹｅｓ）、第１のディスプレイ５に計量商品用の表示画面６０（図５）を表示させ、第２のディスプレイ９に計量商品用の表示画面７０（図６）を表示させる（ステップＳ４）。この際、オペレータは、秤皿３ａに商品を載置する。
【００４２】
そして、ＣＰＵ１０は、秤部３から出力される計量値が安定するのを待ち（ステップＳ５のＮｏ）、その計量値が安定しない間は、表示画面６０，７０中の重量欄６０ｄ，７０ｄおよび値段欄６０ｆ，７０ｆを滅灯させる（ステップＳ６）。ここで、ＣＰＵ１０は、例えば計量値の変動率が所定の範囲内に収まった場合に、秤部３から出力される計量値が安定したと判断する。
【００４３】
ＣＰＵ１０は、秤部３から出力される計量値が安定した場合（ステップＳ５のＹｅｓ）、重量算出手段５４および値段算出手段５５として動作して、その計量商品の重量および値段を算出する（ステップＳ７）。そして、ＣＰＵ１０は、第１の表示制御手段５１として動作して表示処理を行う（ステップＳ８）。ステップＳ８では、ＣＰＵ１０は、第１のディスプレイ５および第２のディスプレイ９に、計量商品の単価、重量および値段を表示した表示画面６０Ａ，７０Ａ（図７，図８）を表示させる。
【００４４】
その後、表示画面６０Ｂ中の贈答品ボタン６０ｐがタッチ操作された場合には（ステップＳ９のＹｅｓ）、ＣＰＵ１０は、第２の表示制御手段５２として動作して、第１のディスプレイ５および第２のディスプレイ９に、その表示内容を、計量商品から定額商品としての表示に変更させる（ステップＳ１０）。具体的には、第１のディスプレイ５および第２のディスプレイ９に、定額商品用であって贈答品用の表示画面６０Ｂ，７０Ｂ（図９，図１０）を表示させる。
【００４５】
ＣＰＵ１０は、ステップＳ１０の処理を行った後、ステップＳ１１に進み、贈答品用のラベルフォーマットをＦｌａｓｈＲＯＭ１１から読み出して、この贈答品用のラベルフォーマットを、ステップＳ２で読み出してＲＡＭ１２に記憶させたラベルフォーマットに代えて、ＲＡＭ１２に記憶させる。そして、キーボード６のラベル発行キーが操作された場合には（ステップＳ１２のＹｅｓ）、ＲＡＭ１２に記憶させた贈答品用のラベルフォーマットにステップＳ２でＲＡＭ１２に記憶させた商品情報を盛り込んで印字データを作成し、作成した印字データに基づいてプリンタ部７に贈答品用ラベル８０Ｂ（図１２）を印字発行させる（ステップＳ１３）。
【００４６】
また、ステップＳ９において、贈答品ボタン６０ｐのタッチ指定がないまま（ステップＳ９のＮｏ）、キーボード６のラベル発行キーが操作された場合には（ステップＳ１２のＹｅｓ）、ＣＰＵ１０は、ステップＳ２で読み出してＲＡＭ１２に記憶させたラベルフォーマットにステップＳ２でＲＡＭ１２に記憶させた商品情報を盛り込んで印字データを作成し、作成した印字データに基づいてプリンタ部７に図１１に示すような計量商品用ラベル８０Ａを印字発行させる（ステップＳ１３）。
【００４７】
また、ステップＳ３において、商品の種別が計量商品ではなく定額商品の場合には（ステップＳ３のＮｏ）、ＣＰＵ１０は、第１のディスプレイ５および第２のディスプレイ９に定額商品用の表示画面（図示せず）を表示させる（ステップＳ１４）。この場合の表示画面は、基本的には図９や図１０に示す表示画面６０Ｂ，７０Ｂと同様であるが、贈答品表示がない形態である。
【００４８】
そして、ＣＰＵ１０は、ステップＳ１４で表示させた表示画面中の贈答品ボタンがタッチ指定された場合（ステップＳ１５のＹｅｓ）、ステップＳ１６に進み、贈答品用のラベルフォーマットをＦｌａｓｈＲＯＭ１１から読み出して、この贈答品用のラベルフォーマットを、ステップＳ２で読み出してＲＡＭ１２に記憶させたラベルフォーマットに代えて、ＲＡＭ１２に記憶させる。その後、キーボード６のラベル発行キーが操作された場合には（ステップＳ１２のＹｅｓ）、ＲＡＭ１２に記憶させた贈答品用のラベルフォーマットにステップＳ２でＲＡＭ１２に記憶させた商品情報を盛り込んで印字データを作成し、作成した印字データに基づいてプリンタ部７に贈答品用ラベル８０Ｂを印字発行させる（ステップＳ１３）。
【００４９】
また、ステップＳ１５において、贈答品ボタンのタッチ指定がないまま（ステップＳ１５のＮｏ）、キーボード６のラベル発行キーが操作された場合には（ステップＳ１２のＹｅｓ）、ＣＰＵ１０は、ステップＳ２で読み出してＲＡＭ１２に記憶させたラベルフォーマットにステップＳ２でＲＡＭ１２に記憶させた商品情報を盛り込んで印字データを作成し、作成した印字データに基づいてプリンタ部７に定額商品用ラベルを印字発行させる（ステップＳ１３）。
【００５０】
以上説明したように、本実施形態の電子秤１では、変更受付手段５６が、計量商品の扱いを定額商品扱いに変更することを受け付けた場合、計量商品情報における計量商品の単価の表示を消すとともに、計量商品の重量値および値段を定額商品の情報として第１のディスプレイ５および第２のディスプレイ９が表示する。したがって、計量商品を定額商品として扱う場合、その旨を客に示すことができる。
【００５１】
［第２の実施形態］
次に、第２の実施形態を図１４を参照しながら説明する。
【００５２】
本実施形態に係る計量システム１００は、有線または無線の通信ネットワーク（例えばインターネット等）１０１等を介して相互にデータ通信可能に接続された電子秤１および複数のサーバ１０２等を備えている。
【００５３】
この計量システム１００は、一つまたは複数のサーバ１０２が、所定のサービスを電子秤１に提供する。この計量システム１００では、例えばＳａａＳ(Software  as  a  Service)の形態で、サービスが提供され得る。
【００５４】
そして、本実施形態では、上記第１の実施形態では電子秤１に設けられていた、表示制御手段５３（第１の表示制御手段５１、第２の表示制御手段５２）、重量算出手段５４、値段算出手段５５、変更受付手段５６および発行制御手段５７は、電子秤１またはサーバ１０２に設けられ、且つ表示制御手段５３（第１の表示制御手段５１、第２の表示制御手段５２）、重量算出手段５４、値段算出手段５５、変更受付手段５６および発行制御手段５７のうちの１以上の手段がサーバ１０２に設けられている。
【００５５】
即ち、本実施形態では、サーバ１０２に設けられたコンピュータが有するＣＰＵや、電子秤１に設けられたＣＰＵ１０が、自機のＲＯＭ等に記憶されたプログラムに従うことで、表示制御手段５３（第１の表示制御手段５１、第２の表示制御手段５２）、重量算出手段５４、値段算出手段５５、変更受付手段５６および発行制御手段５７として動作する。つまり、計量システム１００では、第１の実施形態で説明した処理の少なくとも一部を、一つまたは複数のサーバ１０２が行うようになっている。
【００５６】
このような構成の計量システム１００は、第１の実施形態と同様に、計量商品を定額商品として扱う場合、その旨を客に示すことができる。
【００５７】
また、本実施形態の計量システム１００では、表示制御手段５３（第１の表示制御手段５１、第２の表示制御手段５２）、重量算出手段５４、値段算出手段５５、変更受付手段５６および発行制御手段５７のうちの１以上がサーバ１０２に設けられているので、電子秤１の処理負荷が比較的に少ない。したがって、電子秤１が有するＣＰＵ１０やＦｌａｓｈＲＯＭ１１、ＲＡＭ１２等のハードウェアは比較的に高性能のものでなくて良いため、電子秤１を比較的に安価に構成することができる。また、表示制御手段５３（第１の表示制御手段５１、第２の表示制御手段５２）、重量算出手段５４、値段算出手段５５、変更受付手段５６および発行制御手段５７等を、サーバ１０２に設けることで、電子秤１においてＣＰＵ１０やＦｌａｓｈＲＯＭ１１、ＲＡＭ１２等を省略して、ハードウェア構成を簡素化することができる。よって、電子秤１を比較的に安価に構成することができる。
【００５８】
なお、本発明は、上記各実施形態に限ることなく本発明の要旨を逸脱しない範囲で他の実施形態を各種採用することができる。例えば、上記各実施形態では、入力操作部３０として第１のディスプレイ５とタッチパネル４とを含むものを例に説明したが、入力操作部としては、キーボード６等であってもよい。
【００５９】
また、商品の品番を入力するためのキーやラベル発行キーを入力操作部３０における第１のディスプレイ５に表示させても良い。また、贈答品ボタンをキーボード６に設けても良い。
【００６０】
また、電子秤１やサーバ１０２で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００６１】
また、電子秤１やサーバ１０２で実行されるプログラムを、インターネット等の通信ネットワークに接続されたコンピュータ上に格納し、通信ネットワーク経由でダウンロードさせることにより提供するように構成しても良い。
【００６２】
以上説明したとおり、上記各実施形態によれば、計量商品を定額商品として扱う場合、その旨を客に示すことができる。
【符号の説明】
【００６３】
１…電子秤
５…第１のディスプレイ（ディスプレイ）
７…プリンタ部
９…第２のディスプレイ（ディスプレイ）
３０…入力操作部
３１…計量部
５１…第１の表示制御手段
５２…第２の表示制御手段
５５…値段算出手段
５６…変更受付手段
５７…発行制御手段
８０Ａ…計量商品用ラベル（ラベル）
８０Ｂ…贈答品用ラベル（ラベル）
１００…計量システム
１０１…通信ネットワーク
１０２…サーバ
【先行技術文献】
【特許文献】
【００６４】
【特許文献１】特開２００９−８３８７４公報
【図１】
2012141247.tif 000003
【図２】
2012141247.tif 000004
【図３】
2012141247.tif 000005
【図４】
2012141247.tif 000006
【図５】
2012141247.tif 000007
【図６】
2012141247.tif 000008
【図７】
2012141247.tif 000009
【図８】
2012141247.tif 000010
【図９】
2012141247.tif 000011
【図１０】
2012141247.tif 000012
【図１１】
2012141247.tif 000013
【図１２】
2012141247.tif 000014
【図１３】
2012141247.tif 000015
【図１４】
2012141247.tif 000016